(57)【要約】【課題】  ノート等の紙面上に長さ方向端縁部に対して直角な複数の平行線を容易かつ迅速に描くことができる三角定規を提供する。【解決手段】  互いに直角をなす２辺部のいずれか一方の辺部の内方に、上記辺部に平行に設けられたスリットにより画成されると共に、用紙の側方端縁部にスライド可能に係合しうる係止辺部が設けられている。【選択図】  図１
0003126074.tif 000002
【実用新案登録請求の範囲】
【請求項１】
互いに直角をなす２辺部のいずれか一方の辺部の内方に、上記辺部に平行に設けられたスリットにより画成されると共に、用紙の側方端縁部にスライド可能に係合しうる係止辺部が設けられていることを特徴とする三角定規。
【請求項２】
上記スリットは平面コ字状に形成され、上記係止辺部は平面略長方形状に切り起こされて形成されていることを特徴とする請求項１記載の三角定規。
【請求項３】
上記係止辺部の幅方向先端部は、厚さ方向において押圧された場合には、三角定規本体から裏面側に突出しうるように形成されていることを特徴とする請求項１又は２のいずれか１項に記載の三角定規。
【請求項４】
上記係止辺部の幅方向寸法は、長さ方向寸法よりも短く形成されていることを特徴とする請求項１，２又は３のいずれか１項に記載の三角定規。
【請求項５】
上記係止辺部は三角定規本体の裏面方向へ三角定規本体の厚さ寸法分突出していることを特徴とする請求項１，２，３又は４記載の三角定規。
【考案の詳細な説明】
【技術分野】
【０００１】
本考案は三角定規に係り、特に、紙面に平行線を記載しやすい三角定規に関する。
【背景技術】
【０００２】
従来より、三角定規が文房具として使用されている。
【考案の開示】
【考案が解決しようとする課題】
【０００３】
従来、ノートの紙面上に複数の平行線をノートの紙面の長さ方向端縁部に対して直角に描く場合には、一の三角定規の一辺部をノートの紙面の端縁部に沿わせて当て、この三角定規の当該辺部に他の三角定規の、互いに直角をなす２辺部の内の一方の辺部を当接させる。
【０００４】
この場合、当該三角定規の他の一辺部は、上記紙面の長さ方向端縁部に対して直角に配置されることから、この辺部を利用してペン等により紙面上に上記長さ方向端縁部に対して直角な直線を描くことができる。
そして、上記他の三角定規を上記一の三角定規に沿わせて上方又は下方に移動させることにより、適宜、複数の互いに平行な直線を描くことができる。
【０００５】
しかしながら、このように２枚の三角定規を使用しながら平行線を複数描くことは煩雑であった。
本件出願人は過去の文献等を検索したが類似する技術に関しては発見できなかった。
【０００６】
そこで、本考案の課題は、ノート等の紙面上に長さ方向端縁部に対して直角な複数の平行線を容易かつ迅速に描くことができる三角定規を提供することにある。
【課題を解決するための手段】
【０００７】
上記課題を解決するために、請求項１記載の考案にあっては、互いに直角をなす２辺部のいずれか一方の辺部の内方に、上記辺部に平行に設けられたスリットにより画成されると共に、用紙の側方端縁部にスライド可能に係合しうる係止辺部が設けられていることを特徴とする。
【０００８】
従って、請求項１記載の考案にあっては、上記係止辺部をノート等の用紙の側方端縁部に係止させることにより、上記互いに直角をなす２辺部の内の他方の辺部を、紙面端縁部に対して直角な状態に配置することができ、上記他方の辺部により用紙の端縁部に対して直角な線を描くことができる。
【０００９】
また、三角定規を上記係止辺部を用紙の端縁部に係合させた状態のまま上下いずれかの方向へスライドさせることにより、上記他方の辺部を用紙の端縁部に対して直角の状態を維持したまま平行に移動させることができることから、平行な線を複数描くことができる。
また、請求項２記載の考案にあっては、上記スリットは平面コ字状に形成され、上記係止辺部は平面略長方形状に切り起こされて形成されていることを特徴とする。
【００１０】
従って、請求項２記載の考案にあっては、上記平面略長方形状の係止辺部が用紙の端縁部に係合する。
また、請求項３記載の考案にあっては、上記係止辺部の幅方向先端部は、厚さ方向において押圧された場合には、三角定規本体から裏面側に突出うるように形成されていることを特徴とする。
従って、請求項３記載の考案にあっては、ノート等の用紙に平行な線を複数本描く場合には、上記係止辺部を厚さ方向において裏面側に向かって押圧し、裏面側に突出した係止辺部をノート等の用紙の側方端縁部に係止させて用紙の上下方向に適宜スライドさせることにより上記他方の辺部により用紙に互いに平行な直線を複数本描くことができる。
【００１１】
また、請求項４記載の考案にあっては、上記係止辺部の幅方向寸法は、長さ方向寸法よりも短く形成されていることを特徴とする。
従って、請求項４記載の考案にあっては、係止辺部は三角定規本体の裏面方向に大きく突出することはない。
【００１２】
請求項５記載の考案にあっては、上記係止辺部は三角定規本体の裏面方向へ三角定規本体の厚さ寸法分突出していることを特徴とする。
従って、請求項５記載の考案にあっては、係止辺部は三角定規本体の裏面方向にわずかに突出するのみであることから、三角定規を紙面上で使用する場合にも、上記係止辺部は撓んで三角定規本体と同一面を形成する。
【考案の効果】
【００１３】
従って、請求項１乃至３記載の考案にあっては、上記係止辺部を用紙の端縁部に係合させてスライドさせることにより用紙に、用紙の端縁部に対して直角な複数の線を容易かつ迅速に描くことができる。
また、請求項４及び５記載の考案にあっては、係止辺部は三角定規本体の裏面方向に大きく突出しないことから、三角定規を使用する場合にもなんら妨げとはならない。
【考案を実施するための最良の形態】
【００１４】
以下、図面を用いて本考案の実施の形態について説明する。
図１に示すように、本実施の形態に係る三角定規１０は合成樹脂製であって、直角をなす２辺部１１，１２の内、短辺部１１の内方近傍に、上記辺部１１に平行に設けられたスリット１３が設けられている。
【００１５】
上記スリット１３は平面コ字状に形成され、このスリット１３により画成される部位が平面略長方形状に切り起こされて、係止辺部１４が形成されている。
この係止辺部１４は、ノート等の用紙１５の側方端縁部１６にスライド可能に係合しうるように構成されている。
【００１６】
上記係止辺部１４は常態においては、三角定規本体１８と同一平面状に配置されるが、使用時に、図２に示すように、使用者が図中、矢印方向に向かって三角定規の裏面側方向へ押圧した場合には、係止辺部１４の幅方向先端部１７は、三角定規本体１８の厚さ方向において、三角定規本体１８から裏面側１９に突出する。
即ち、図３に示すように、本実施の形態にあっては、上記係止辺部１４の幅方向寸法Ｌは、長さ方向寸法Ｌ１よりも短く形成され、本実施の形態にあっては、三角定規本体１８の厚さ寸法Ｌ２分、裏面側１９に突出している。
【００１７】
本実施の形態に係る三角定規１０を使用する場合には、図３に示すように、
三角定規１０を、用紙１５上において、直角をなす２辺部１１，１２の内、長辺部１２が上方に位置すると共に、短辺部１１が用紙１５の側方端縁部１６側に位置するように配置し、上記係止辺部１４を上記用紙１５の側方端縁部１６に係合させる。
【００１８】
この状態で、上記三角定規１０の長辺部１２は用紙１５の側方端縁部１６に対して直角の状態となっている。従って、この状態で上記長辺部１２によりボールペン等によって直線２０を描くことができ、その後、三角定規１０を上記係止辺部１４を用紙１５の側方端縁部１６に係止させた状態のまま上下いずれかの方向にスライドさせることにより、連続して上記長辺部１２により互いに平行な直線２０を複数本描くことができる。
【００１９】
この場合、図４に示すように、本実施の形態にあっては、上記係止辺部１４は、三角定規本体１８の厚さ寸法分Ｌ２分、三角定規本体１８の裏面方向に突出しているのみであることから、三角定規１０を上記係止辺部１４を用紙１５の側方端縁部１６に係止させることなく、用紙１５の紙面上において使用する場合には、上記三角定規本体１８は合成樹脂製であることから、上記係止辺部１４は可撓性により三角定規本体１８と同一平面状に復帰するため、三角定規として使用することになんら差し支えはない。
【００２０】
本実施の形態にあっては、直角をなす２つの辺部が長辺部１２と短辺部１１とからなる場合を例に説明したが、本実施の形態に限定されず、図５に示すように、直角をなす２つの辺部２１，２１が同じ長さ寸法に形成され、いずれか一方の辺部の内方にスリットにより係止辺部が形成されていてもよい。
【産業上の利用可能性】
【００２１】
本考案は、広く三角定規に適用することができる。
【図面の簡単な説明】
【００２２】
【図１】本考案に係る三角定規の一実施の形態を示し、直角を成す２辺の一方が他方よりも長く形成されている場合を示す平面図である。
【図２】本考案に係る三角定規の一実施の形態を示し、使用時に係止辺部の裏面側へ突出させた状態を示す突出図１の2−2線断面図である。
【図３】本考案の一実施の形態に係る三角定規の使用状態を示す平面図である。
【図４】本考案の一実施の形態に係る三角定規の使用状態を示す断面図である。
【図５】本考案に係る三角定規の一実施の形態を示し、直角を成す２辺が同一の長さ寸法により形成されている場合を示す平面図である。
【符号の説明】
【００２３】
１０  三角定規
１１  短辺部
１２  長辺部
１３  スリット
１４  係止辺部
１５  用紙
１６  側方端縁部
１７  幅方向先端部
１８  三角定規本体
１９  裏面側
２０  直線
２１  辺部
【図１】
0003126074.tif 000003
【図２】
0003126074.tif 000004
【図３】
0003126074.tif 000005
【図４】
0003126074.tif 000006
【図５】
0003126074.tif 000007